(57)【要約】【課題】従来のタッチセンサよりノイズの除去を効率的に行うことができるタッチセンサ装置を提供する。【解決手段】タッチセンサ２６に、タッチセンサ導体３２に加え、ノイズセンサ導体３４を設けた。そして、センサコントローラー１４の入力端子Ａにはタッチセンサ導体３２が接続され、入力端子Ｂにはノイズセンサ導体３４が接続されている。タッチセンサ導体３２の信号からノイズセンサ導体３４の信号を減算することにより、コモンモードノイズを効果的に除去することが可能となる。【選択図】図１
2010044664.tif 000002
【特許請求の範囲】
【請求項１】
タッチセンサと、前記タッチセンサからの信号を入力しデータを読み取るセンサコントローラーと、からなるタッチセンサ装置において、
前記タッチセンサは、
利用者がタッチすることにより信号を入力するタッチセンサ導体と、
前記タッチセンサ導体と同一平面上に配置されたノイズセンサ導体と、
を有し、
前記センサコントローラーは、
前記タッチセンサ導体からの信号を受信するホットエンド側入力端子と、
前記ノイズセンサ導体からの信号を受信するコールドエンド側入力端子と、
前記ホットエンド側入力端子に入力された信号から前記コールドエンド側入力端子に入力された信号を減算する演算手段と、
を含むことを特徴とするタッチセンサ装置。
【請求項２】
タッチセンサと、前記タッチセンサからの信号を入力しデータを読み取るセンサコントローラーと、からなるタッチセンサ装置において、
前記タッチセンサは、
利用者がタッチすることにより信号を入力するタッチセンサ導体と、
前記タッチセンサ導体と同一平面上に配置されたノイズセンサ導体と、
グランド端子と、
を有し、
前記センサコントローラーは、
前記タッチセンサ導体からの信号を受信するホットエンド側入力端子と、
前記ノイズセンサ導体からの信号を受信するコールドエンド側入力端子と、
前記グランド端子から交流的にアイソレートされたセンサコントローラー側グランド端子と、
前記ホットエンド側入力端子に入力された信号から前記コールドエンド側入力端子に入力された信号を減算する演算手段と、
を含むことを特徴とするタッチセンサ装置。
【請求項３】
請求項１又は請求項２に記載のタッチセンサ装置において、
前記ノイズセンサ導体は、前記タッチセンサ導体と隣接して配置されていることを特徴とするタッチセンサ装置。
【請求項４】
請求項１又は請求項２に記載のタッチセンサ装置において、
前記ノイズセンサ導体は、前記タッチセンサの周辺部を周回するように配置されていることを特徴とするタッチセンサ装置。
【請求項５】
請求項１に記載のタッチセンサ装置に用いられる前記センサコントローラーにおいて、
前記タッチセンサ導体からの信号を受信する前記ホットエンド側入力端子と、
前記ノイズセンサ導体からの信号を受信する前記コールドエンド側入力端子と、
前記ホットエンド側入力端子に入力された信号から前記コールドエンド側入力端子に入力された信号を減算する前記演算手段と、
を含むことを特徴とするセンサコントローラー。
【請求項６】
請求項２に記載のタッチセンサ装置に用いられる前記センサコントローラーにおいて、
前記タッチセンサ導体からの信号を受信する前記ホットエンド側入力端子と、
前記ノイズセンサ導体からの信号を受信する前記コールドエンド側入力端子と、
前記グランド端子から交流的にアイソレートされた前記センサコントローラー側グランド端子と、
前記ホットエンド側入力端子に入力された信号から前記コールドエンド側入力端子に入力された信号を減算する前記演算手段と、
を含むことを特徴とするセンサコントローラー。
【請求項７】
請求項２に記載のタッチセンサ装置において、
前記センサコントローラー側グランド端子を、前記グランド端子から交流的にアイソレートするために、前記センサコントローラーの外部の電源部に設けられたアイソレータ手段を含むことを特徴とするタッチセンサ装置。
【請求項８】
請求項７に記載のタッチセンサ装置において、
前記アイソレータ手段は、交流をカットするためのインダクタンスを含むことを特徴とするタッチセンサ装置。
【発明の詳細な説明】
【技術分野】
【０００１】
本発明は、タッチセンサノイズキャンセレーション方式を使用したタッチセンサ装置に関する。
【背景技術】
【０００２】
近年、銀行のＡＴＭや駅の券売機等には、タッチセンサと呼ばれる入力装置が用いられることが多い。
【０００３】
タッチセンサの普及が進んだ背景としては、以下のような理由が考えられる。
【０００４】
まず、第１に、タッチセンサは、ローコストであることが挙げられる。
【０００５】
第２に、タッチセンサは、従来から用いられてきた入力装置よりも、耐久性の面で有利であり、長寿命であることが挙げられる。
【０００６】
第３に、タッチセンサは、デザイン化に有利であることが挙げられる。
【０００７】
このように、タッチセンサは種々の特有の性質を有しており、今後さらに幅広く使用されるであろう。
【０００８】
例えば、下記特許文献１には、帯電防止剤を含有する透明樹脂層が配置されたタッチパネル表示装置が開示されている。
【０００９】
また、下記特許文献２には、耐ノイズ性を高めるために、ノイズの大きさや、ノイズの周波数によって、ＡＣ電圧振動レベルを切り替え制御できる手段を備えるタッチパネル装置が開示されている。
【００１０】
【特許文献１】特開２００５−２９３２８９号公報
【特許文献２】特開２００６−１０６８５３号公報
【発明の開示】
【発明が解決しようとする課題】
【００１１】
タッチセンサは、その構造によって、抵抗マトリックス型、静電型に大別される。特に最近は、後者の静電型タッチセンサが開発されている。これら２つの型式のタッチセンサは、それぞれ特質を有している。
【００１２】
ここで、特に最近開発が著しく進んでいる静電型方式タッチセンサの欠点（課題）について述べる。
【００１３】
まず、第１に、静電型方式タッチセンサは、設計開発が他の方式のタッチセンサよりも複雑である。
【００１４】
第２に、静電型方式タッチセンサは、外部から受けるノイズに影響されやすい。ここでいうノイズとは、タッチセンサの周辺に存在する表示デバイス等から誘発されるノイズである。タッチセンサは、近年、より大面積のものが使用される傾向にある。静電型方式タッチセンサの場合、大面積であればあるほど、外部から受けるノイズが信号に影響されやすい。
【００１５】
従って、静電型方式タッチセンサの開発者には、大面積であっても、よりノイズに強い静電型タッチセンサを開発することが求められている。
【００１６】
なお、このノイズの課題は、静電型方式タッチセンサだけでなく、抵抗マトリックス型方式タッチセンサにも存在する。従って、このノイズの課題を克服することは、タッチセンサを開発する上で、非常に重要な事項である。
【００１７】
ノイズの発生源及びノイズの発生形態
ノイズは、その発生源としては、以下の２つに大別される。
【００１８】
・センサ密着表示デバイスノイズ
・その他の外来ノイズ
また、ノイズは、ノイズの発生形態によって、以下の２つに大別される。
【００１９】
・磁気ノイズ
・静電ノイズ
また、タッチセンサに影響を与えるノイズを減少させる方法としては、従来から以下のような原理・方法が知られている。
【００２０】
（１）信号入力回路を平衡入力型にして同相ノイズをキャンセルさせる。
【００２１】
（２）入力または必要な箇所に逆相ノイズを加えてノイズをキャンセルする。
【００２２】
（３）ノイズセンサまたはノイズ遮蔽するまたはノイズ源をセンサから遠ざける。
【課題を解決するための手段】
【００２３】
本件発明では、上で述べたノイズ低減方法のうち、主として（１）及び（２）に基づいてノイズの影響を低減しようとしている。
【００２４】
具体的なノイズキャンセルの手法は以下の通りである。
【００２５】
・擬似的に平衡入力回路を構成する。データを読み取るセンサコントローラーの入力回路の入力端子の中から２つの端子を選択し、１つをホットエンド側入力端子とし、他方をコールドエンド側入力端子として使用する。そして、これら両端子（ホットエンド側及びコールドエンド側）をグランドポテンシャルから浮かし、平衡入力回路を実現している。
【００２６】
・タッチセンサには使用者がタッチしたことを検出するためのタッチセンサ導体が設けられており、タッチセンサ導体と同一平面上にノイズセンサ導体が設けられている。本発明において特徴的なことは、このノイズセンサ導体をタッチセンサ導体と同一平面上に設けたことである。
【００２７】
従来は、タッチセンサには利用者のタッチ動作を検出するためのタッチセンサ導体のみが設けられていたが、タッチセンサ導体に発生するノイズを検出するために、タッチセンサ導体と同一平面上にノイズセンサ導体を設けたことが本発明において特徴的なことである。
【００２８】
ノイズセンサ導体で集めたノイズは、センサコントローラーの上記入力回路のコールドエンド側端子に入力される。
【００２９】
このような構成によれば、ホットエンド側（タッチセンサ導体側）の信号及びコールドエンド側（ノイズセンサ導体側）の信号には、同一のコモンモードのノイズが発生し、これを除去することができる。すなわち、入力回路は平衡入力になっているため、コモンモードノイズをリジェクションすることが可能であり、ノイズがキャンセルされるのである。
【００３０】
特に、後述する本実施の形態においては、ホットエンド側の信号からコールドエンド側の信号を減算することにより、同相（コモンモード）のノイズを効果的に除去している。
【００３１】
（１）本発明は、上記課題を解決するために、タッチセンサと、前記タッチセンサからの信号を入力しデータを読み取るセンサコントローラーと、からなるタッチセンサ装置において、前記タッチセンサは、利用者がタッチすることにより信号を入力するタッチセンサ導体と、前記タッチセンサ導体と同一平面上に配置されたノイズセンサ導体と、を有し、前記センサコントローラーは、前記タッチセンサ導体からの信号を受信するホットエンド側入力端子と、前記ノイズセンサ導体からの信号を受信するコールドエンド側入力端子と、前記ホットエンド側入力端子に入力された信号から前記コールドエンド側入力端子に入力された信号を減算する演算手段と、を含むことを特徴とするタッチセンサ装置である。
【００３２】
（２）また、本発明は、上記課題を解決するために、タッチセンサと、前記タッチセンサからの信号を入力しデータを読み取るセンサコントローラーと、からなるタッチセンサ装置において、前記タッチセンサは、利用者がタッチすることにより信号を入力するタッチセンサ導体と、前記タッチセンサ導体と同一平面上に配置されたノイズセンサ導体と、グランド端子と、を有し、前記センサコントローラーは、前記タッチセンサ導体からの信号を受信するホットエンド側入力端子と、前記ノイズセンサ導体からの信号を受信するコールドエンド側入力端子と、前記グランド端子から交流的にアイソレートされたセンサコントローラー側グランド端子と、前記ホットエンド側入力端子に入力された信号から前記コールドエンド側入力端子に入力された信号を減算する演算手段と、を含むことを特徴とするタッチセンサ装置である。
【００３３】
（３）また、本発明は、上記課題を解決するために、上記（１）又は（２）に記載のタッチセンサ装置において、前記ノイズセンサ導体は、前記タッチセンサ導体と隣接して配置されていることを特徴とするタッチセンサ装置である。
【００３４】
（４）また、本発明は、上記課題を解決するために、上記（１）又は（２）に記載のタッチセンサ装置において、前記ノイズセンサ導体は、前記タッチセンサの周辺部を周回するように配置されていることを特徴とするタッチセンサ装置である。
【００３５】
（５）また、本発明は、上記課題を解決するために、上記（１）に記載のタッチセンサ装置に用いられる前記センサコントローラーにおいて、前記タッチセンサ導体からの信号を受信する前記ホットエンド側入力端子と、前記ノイズセンサ導体からの信号を受信する前記コールドエンド側入力端子と、前記ホットエンド側入力端子に入力された信号から前記コールドエンド側入力端子に入力された信号を減算する前記演算手段と、を含むことを特徴とするセンサコントローラーである。
【００３６】
（６）また、本発明は、上記課題を解決するために、上記（２）に記載のタッチセンサ装置に用いられる前記センサコントローラーにおいて、前記タッチセンサ導体からの信号を受信する前記ホットエンド側入力端子と、前記ノイズセンサ導体からの信号を受信する前記コールドエンド側入力端子と、前記グランド端子から交流的にアイソレートされた前記センサコントローラー側グランド端子と、前記ホットエンド側入力端子に入力された信号から前記コールドエンド側入力端子に入力された信号を減算する前記演算手段と、を含むことを特徴とするセンサコントローラーである。
【００３７】
（７）また、本発明は、上記課題を解決するために、上記（２）に記載のタッチセンサ装置において、前記センサコントローラー側グランド端子を、前記グランド端子から交流的にアイソレートするために、前記センサコントローラーの外部の電源部に設けられたアイソレータ手段を含むことを特徴とするタッチセンサ装置である。
【００３８】
（８）また、本発明は、上記課題を解決するために、上記（７）に記載のタッチセンサ装置において、前記アイソレータ手段は、交流をカットするためのインダクタンスを含むことを特徴とするタッチセンサ装置である。
【発明の効果】
【００３９】
以上述べたように、本発明によれば、ノイズセンサ導体を、タッチセンサ導体と同一平面上に配置しているので、タッチセンサ導体に生じるノイズをノイズセンサ導体で検知することが可能となる。
【００４０】
従って、ノイズセンサ導体に生じた信号を、タッチセンサ導体から減算すればノイズの除去が可能となる。
【００４１】
さらに、本発明によれば、タッチセンサからデータを読み取るセンサコントローラーのグランド端子を交流的にアイソレートしているため、センサコントローラーの入力端子を擬似的に平衡入力端子とすることができ、コモンモードノイズを効果的に除去することが可能となる。
【発明を実施するための最良の形態】
【００４２】
以下、本件発明に係るタッチセンサ装置の実施の形態を、図面に基づき説明する。
【００４３】
図１には、本発明に係るタッチセンサ装置１０の回路構成が示されている。
【００４４】
回路構成
まず、図１中に示されるセンサコントローラー１４は、タッチセンサ２６の制御と、タッチセンサ２６からの出力信号を検出及び処理する機能を備える装置である。このセンサコントローラー１４は、図１に示すように、ＭＣＵ３６と、センサ入力回路ＩＮＰ１とを備える。
【００４５】
図１中には、センサ入力回路ＩＮＰ１の入力端子として入力端子Ａ及びＢのみが示されているが、実際には、タッチセンサの多数の信号を受信するための多数の入力端子が設けられている。ここでは、説明を簡単にするために、入力端子として２つ取り上げて説明する。
【００４６】
次に、電源１２とセンサコントローラー１４との間には、電源部アイソレータＰＩＳＬ１６が備えられている。これによって、センサコントローラー１４のグランドを浮かすことが可能となり、センサ入力回路ＩＮＰ１の入力端子Ａ及びＢを平衡回路入力端子として使用することが可能になる。また、電源部アイソレータＰＩＳＬ１６によって、コントローラー１４のグランドを交流的にアイソレートした結果、センサコントローラー１４のコントロール入力１８及びセンサ信号出力２２についてもアイソレーションを行う必要がある。
【００４７】
本実施の形態においては、図１に示されているように、コントロール入力１８とセンサコントローラー１４との間にはＩＳＬ１アイソレータ２０が備えられ、センサ信号出力２２とセンサコントローラー１４との間にはＩＳＬ２アイソレータ２４が備えられている。
【００４８】
このように電源１２とコントロール入力１８、センサ信号入力２２をアイソレートすることによって、センサコントローラー１４への入力を平衡入力にする。
【００４９】
タッチセンサ２６からの出力信号（図１中のタッチセンサ出力信号２８及びノイズセンサ導体出力信号３０）から求められたセンサ信号出力２２は、オプトアイソレータ等（図１中のＩＳＬ２アイソレータ２４）を介して出力され、電源供給側から直流的にも交流的にもアイソレートされる。
【００５０】
タッチセンサ２６の電源として、タッチセンサ２６以外の機器に接続されている電源を使用する場合には、その電源のプラス側及びマイナス側（ＤＣプラス側及びＤＣマイナス側）をアイソレートさせる。図１には、タッチセンサ２６が、電源として、電源１２を使用する場合の回路が示されている。
【００５１】
図１には、電源部アイソレータＰＩＳＬ１６の内部に、ＡＣチョークとしてコイルＬ１及びＬ２を直列に挿入して、ＡＣカットを行っている。なお、場合によっては、他のアイソレーション法を使用することも好適である。
【００５２】
図１に基づき、さらに詳しく説明する。
【００５３】
センサコントローラー１４のセンサ入力回路ＩＮＰ１の２つの入力端子Ａ及びＢを擬似的に平衡入力回路にするために、電源１２をセンサコントローラー１４からアイソレートする。同様に、センサコントローラー１４のコントロール入力１８やセンサ信号出力２２も外部回路とアイソレートする。
【００５４】
このアイソレート環境を実現するために、本実施例では、図１に示すように、電源部アイソレータＰＩＳＬ１６と、ＩＳＬ１アイソレータ２０と、ＩＳＬ２アイソレータ２４とを設けている。
【００５５】
さらに詳細に説明すると、電源部アイソレータＰＩＳＬ１６内部には、ＡＣフィルタとして、コイルＬ１及びＬ２と、コンデンサＣ１及びＣ２とを設けている。このように電源部アイソレータＰＩＳＬ１６を構成することによって、センサコントローラー電源ＶＣＣ２及びセンサコントローラー電源グランド側ＧＮＤ２は、交流的にアイソレートされる。
【００５６】
タッチセンサ信号出力２８は、センサ入力回路ＩＮＰ１の入力端子Ａ側に入力される。一方、ノイズセンサ導体出力信号３０は、センサ入力回路ＩＮＰ１の入力端子Ｂ側に入力される。入力端子Ａをホットエンド側入力端子と呼び、入力端子Ｂをコールドエンド側入力端子と呼ぶ。これら２つの入力端子Ａ及びＢは、いわゆるシングルエンデッド入力であるが、上述したように、センサ入力回路ＩＮＰ１の入力回路を交流的にアイソレートされた結果、擬似的に平衡入力（バランス入力）回路として動作させることが可能である。
【００５７】
特に、本実施の形態においては、入力端子Ａ側にタッチセンサ導体３２の信号が印加され、入力端子Ｂ側にはノイズセンサ導体３４側の信号が入力される。この結果、後述するように、平衡入力回路に加わるノイズを軽減することが可能となったものである。詳細は以下に述べる。
【００５８】
さて、図１に示すように、タッチセンサ２６は、タッチセンサ導体３２と、ノイズセンサ導体３４とを含んでいる。タッチセンサ導体３２は、利用者のタッチ動作を入力するための導体であり、従来のタッチセンサにも使用されていたものである。タッチセンサ導体３２からは、利用者のタッチ動作を出力するためのタッチセンサ出力信号２８が出力されている。一方、本実施の形態において特徴的なことは、タッチセンサ２６が、ノイズセンサ導体３４を含んでいることである。このノイズセンサ導体３４は、タッチセンサ導体３２と同一平面上に設けられており、タッチセンサ導体３２に加わるノイズを検知する働きを有する。
【００５９】
図２には、ノイズが軽減される仕組みを説明する図が示されている。この図２に示されるように、タッチセンサ導体３２とノイズセンサ導体３４は、同一平面上に配置されるので、タッチセンサ導体３２及びノイズセンサ導体３４に誘起される外界ノイズは、ほぼ同一となる。従って、センサ入力回路ＩＮＰ１では、タッチセンサ出力信号２８の信号からノイズセンサ導体出力信号３０を減算することによって、ノイズが相殺又は軽減される。なお、タッチセンサ２６は、コモンモードノイズ環境に存在すると考えられ、タッチセンサ導体３２及びノイズセンサ導体３４に誘起される外界ノイズもコモンモードと考えられる。
【００６０】
センサ入力回路ＩＮＰ１は、単なるシングルエンデッド入力回路であっても、タッチセンサ出力信号２８の信号及びノイズセンサ導体出力信号３０の信号をコモンモードの信号として扱う。
【００６１】
センサ入力回路ＩＮＰ１の内部の模式図が図２に示されている。この図２に示されているように、入力端子Ａ側は、演算増幅器３８の非反転入力端子４０に接続され、入力端子Ｂ側は、演算増幅器３８の反転入力端子４２に接続されている。そして、演算増幅器３８から、センサ信号出力２２が出力されている。このような構成によれば、反転信号増幅率を同相信号増幅率よりも顕著に大きくすることができる。
【００６２】
以上述べたように、本実施の形態によれば、タッチセンサ２６におけるタッチ動作を検出するためのセンサコントローラー１４の電源を外部からアイソレートしたため、センサコントローラー１４のセンサ入力回路ＩＮＰ１の入力回路を平衡入力回路として使うことが可能となった。この結果、タッチセンサ２６に生じるコモンモードノイズを効果的に抑制することができ、より読み取り精度の高いタッチセンサ装置を構成することが可能である。
【００６３】
なお、本実施の形態において、タッチセンサ装置１０とは、タッチセンサ２６と、センサコントローラー１４と、を含む装置の呼び名である。
【００６４】
アイソレーションの良否に影響する要因について
センサ入力回路ＩＮＰ１の入力回路が平衡入力回路として良好に動作するか否かは、センサ入力回路ＩＮＰ１内の回路と、外部回路とのアイソレーションが良好であるか否かによって決定される。
【００６５】
より詳細に述べれば、アイソレーションの良否は、以下に説明するインピーダンス比Ｚ０：Ｚ１に依存する。
【００６６】
タッチセンサ導体３２に誘起されるノイズと、ノイズセンサ導体３４に誘起されるノイズが、バランス（平衡入力のコモンモードノイズが相殺する）する条件は、すでに知られているように、タッチセンサ導体３２とノイズセンサ導体３４の導体条件が同一の場合には、共に想定するコモングランド間のインピーダンス比になる。
【００６７】
図１中に示される電源部アイソレータＰＩＳＬ１６の単純化した電源グランド間の直列インピーダンスを、Ｚ０＝１ｋΩと仮定すると、必要なインダクタンス（ＸＬ）は、
ωＬ＝２πｆＬ＝６．２８×１００×１０３×ＸＬ＝１×１０３
ＸＬ＝１×１０３／６．２８×１００×１０３＝１．５９×１０＋３＝１．５９（ｍＨ）となる。
【００６８】
なお、ここでは、インピーダンスをＸ１、Ｘ２リアクタンスのみで想定し、Ｚ０：Ｚ１としている。
【００６９】
上記計算の結果、Ｌ１、Ｌ２が見かけ上並列構成（１／２）になり、上記ＸＬの２倍のインダクタンス３．１８（ｍＨ）によって、Ｚ０＝１ｋΩが得られる。
【００７０】
上で述べた計算では、以下の条件を用いている。
【００７１】
・当該インピーダンスの主周波数成分を１００ｋＨｚ以上と想定している。
【００７２】
・簡略化インピーダンスＺ０＝インダクタンス（ＬＨ）＋コイル内部抵抗（ＲΩ）とする。なお、コイルリアクタンスに対してＲΩは小さいので無視する。
【００７３】
・入力端子Ａ側と入力端子Ｂ側との間のインピーダンスをＺ１＝１ｋΩとする。
【００７４】
・コンデンサＣ１及びＣ２は大容量であり、１００ｋＨｚに対して無視できる程度のリアクタンスである。また、コイルＬ１及びＬ２間の静電容量は、１００ｋＨｚに対して十分小さいリアクタンスであると考え、無視する。
【００７５】
・ＩＳＬ１アイソレータ２０及びＩＳＬ２アイソレータ２４の直流、交流アイソレーションは、無視できる程度に高いものとする。
【００７６】
・外界から誘起される各部位間のノイズの位相関係は考慮しない。
【００７７】
なお、上に述べた条件以外の条件の場合も、本件発明に含まれることは言うまでもない。
【００７８】
変形例
上記実施の形態においては、ＬＣフィルターからなる電源部アイソレータＰＩＳＬ１６を用いた例を示したが、ＬＣフィルター以外の他の方式を採用するアイソレータを用いても構わない。
【００７９】
例えば、トランス方式を採用するアイソレータを用いることも好ましい。
【００８０】
図４には、トランス方式電源部アイソレータＰＩＳＬ４４を備えるタッチセンサ装置１０’が示されている。この図４に示されるように、トランス方式電源部アイソレータＰＩＳＬ４４の内部には、コンデンサＣ０及びＣ１と、トランスＴ１と、クロックドライバー４６とが設けられている。
【００８１】
クロックドライバー４６は、クロック入力をトランスＴ１に供給する。この際、直流成分を除去するため、コンデンサＣ０が設けられている。トランスＴ１によって、アイソレートが行われた後、トランスＴ１の二次側にはブリッジダイオードを介して、二次側の電圧ＶＣＣ２が現れる。この電圧ＶＣＣ２は、出力コンデンサＣ１を介して、センサコントローラー１４に供給される。
【００８２】
このようにトランス方式電源部アイソレータＰＩＳＬ４４を構成することによっても、センサコントローラ電源ＶＣＣ２及びセンサコントローラー電源グランド側ＧＮＤ２は、交流的に又直流的にアイソレートされる。
【００８３】
なお、図４中のＩＳＬ１アイソレータ２０及びＩＳＬ２アイソレータ２４の代わりに、例えば５ｋΩ程度の高い抵抗値を有する抵抗体を用いても良い。
【００８４】
その他変形例
上記の実施の形態においては、タッチセンサ導体３２と、ノイズセンサ導体３４とは、同一平面上に設けられていると説明したが、同一平面上であれば、どのような位置関係にあっても構わない。
【００８５】
例えば、タッチセンサ導体３２と、ノイズセンサ導体３４とが、常に隣接するように構成することも好ましい。タッチセンサ導体３２が数多くある場合には、ノイズセンサ導体３４を、タッチセンサ２６の周辺部に配置し、ノイズセンサ導体３４を、中央部分のタッチセンサ導体３２を覆い囲むように周回させる構成を採用することも好適である。
【００８６】
その他、用途に応じて、タッチセンサ導体３２と、ノイズセンサ導体３４との配置は、自由に調整することが可能である。
【図面の簡単な説明】
【００８７】
【図１】タッチセンサ装置の回路構成を示す図である。
【図２】ノイズが軽減される仕組みを説明する説明図である。
【図３】センサ入力回路の内部を示す模式図である。
【図４】トランス方式電源部アイソレータを採用するタッチセンサ装置の回路構成を示す図である。
【符号の説明】
【００８８】
１０、１０’  タッチセンサ装置
１２  電源
１４  センサコントローラー
１６  電源部アイソレータＰＩＳＬ
１８  コントロール入力
２０  ＩＳＬ１アイソレータ
２２  センサ信号出力
２４  ＩＳＬ２アイソレータ
２６  タッチセンサ
２８  タッチセンサ出力信号
３０  ノイズセンサ導体出力信号
３２  タッチセンサ導体
３４  ノイズセンサ導体
３６  ＭＣＵ
３８  演算増幅器
４０  非反転入力端子
４２  反転入力端子
４４  トランス方式電源部アイソレータＰＩＳＬ
４６  クロックドライバー
Ａ、Ｂ  入力端子
Ｃ０、Ｃ１、Ｃ２  コンデンサ
ＧＮＤ２  センサコントローラー電源グランド側
ＩＮＰ１  センサ入力回路
Ｌ１、Ｌ２  コイル
Ｔ１  トランス
ＶＣＣ２  センサコントローラー電源
【図１】
2010044664.tif 000003
【図２】
2010044664.tif 000004
【図３】
2010044664.tif 000005
【図４】
2010044664.tif 000006